(57)【要約】【課題】部品点数が少なく構造が簡素で組み付けの容易な開閉保持用のヒンジ装置を提供する。【解決手段】ヒンジ装置３１は、一方の折畳み部材のヒンジ取付部２９に一体的に取り付けられる第１のヒンジ部材３２と、他方の折畳み部材３０のヒンジ取付部３０に一体的に取り付けられる第２のヒンジ部材３３と、ばね部材３４とからなる。第２のヒンジ部材は第１のヒンジ部材に形成された軸穴３５に回動可能に嵌合する軸部３７を有する。ばね部材は軸部の外周面に開口するスリット溝３８から一部が外に突出するようにスリット溝に収容されており、第１のヒンジ部材の軸穴の内周面には、ばね部材の一部を受容することができる断面略Ｖ字形の２つの凹溝３９、４０が軸穴の周方向に所定間隔を隔てて形成されている【選択図】　図３
2004052887.tif 000002
【特許請求の範囲】
【請求項１】
折畳式機器における一対の折畳み部材を開閉動作可能に連結するとともに、前記一対の折畳み部材を開状態及び閉状態に保持することができるヒンジ装置であって、一方の折畳み部材のヒンジ取付部に一体的に取り付けられる第１のヒンジ部材と、他方の折畳み部材のヒンジ取付部に一体的に取り付けられる第２のヒンジ部材と、ばね部材とからなり、前記第２のヒンジ部材は軸穴を有し、前記第１のヒンジ部材は前記他方の折畳み部材に取り付けられる取付部と前記第２のヒンジ部材の軸穴に回動可能に嵌合する軸部とを一体に有し、前記ばね部材は、前記軸部の外周面に開口するスリット溝から一部が外に突出するように前記スリット溝に収容されており、前記第２のヒンジ部材の軸穴の内周面には、前記ばね部材の一部を受容することができる断面略Ｖ字形の２つの凹溝が軸穴の周方向に所定間隔を隔てて形成されていることを特徴とする折畳式機器の開閉保持用ヒンジ装置。
【請求項２】
請求項１記載のヒンジ装置において、前記ばね部材はばね鋼線からなり、前記スリット溝の底部に当接され且つ該底部に沿って延びる基部と、該基部の一端から前記スリット溝の外に向かって略Ｃ字状若しくは略Ｕ字状にカーブして延びるアーム部とを有し、該アーム部の先端近傍がスリット溝の外に突出可能であることを特徴とするヒンジ装置。
【請求項３】
請求項１記載のヒンジ装置において、前記凹溝が前記軸穴の軸線方向に延びて前記軸穴とともに前記第２のヒンジ部材の一端に開口していることを特徴とするヒンジ装置。
【請求項４】
請求項１記載のヒンジ装置において、前記第１のヒンジ部材における前記取付部は前記軸部よりも大きな径方向サイズを有し、前記スリット溝は前記軸部の外周面から前記取付部にかけて軸線方向に連続形成されていることを特徴とするヒンジ装置。
【発明の詳細な説明】
【０００１】
【発明の属する技術分野】
本発明は、折畳式機器の開閉保持用ヒンジ装置に関し、特に部品点数が少なく構造が簡素で組み付けの容易なヒンジ装置に関する。
【０００２】
【従来の技術】
従来、例えば折畳式電話機や折畳式モバイルコンピュ−タ等のような折畳式機器は、例えば上面にボタンキー等を配置した機器本体（第１の折畳み部材）と、前面に例えば表示部等を配置したカバー体（第２の折畳み部材）とを開閉保持用ヒンジ装置を介して連結したものとなっており、また、この開閉保持用ヒンジ装置により、機器本体に対しカバー体を閉じた状態（すなわち両者を折り畳んだ状態）と、開いた状態とにおいてそれぞれ保持できるものとなっている。
【０００３】
図８から図１０までは従来の一般的な折畳式電話機における開閉保持用ヒンジ装置の構造を示したものである。
これらの図を参照すると、ヒンジ装置は、機器本体側のヒンジ取付部１に回転不可に装着される本体側デスク（第１のヒンジ部材）２と、カバー体側のヒンジ取付部３に回転不可に装着されるカバー側ディスク（第２のヒンジ部材）４とを備えている。
【０００４】
カバー側ディスク４の軸心部にはシャフト５の基端部が回転不可に嵌合しており、シャフト５の先端部側には本体側デスク２が回転可能に嵌合している。そして、シャフト５の先端部外周に形成された周溝に係合して装着された抜止め用のＥ−リング６により、本体側デスク２がシャフト５の先端部から抜け止めされている。
【０００５】
さらに、本体側デスク２とカバー側ディスク４との間において、シャフト５の外周には可動ディスク７が回動可能に且つシャフト５の軸線に沿った方向に変位可能に嵌合しており、この可動ディスク７は本体側デスク２に対してはその突出部２ａにより回転不可に且つシャフト５の軸線に沿った方向に変位可能に係合している。
そして、可動ディスク７と本体側デスク２との間には可動ディスク７をカバー側ディスク４に向けて押圧するコイルばね８が介装されている。
【０００６】
可動ディスク７と向かい合うカバー側ディスク４の端面には半径方向に延びる略Ｖ字形断面の２つの凹溝４ａ、４ｂが周方向に略１８０°の角度を隔てて形成されており、一方、カバー側ディスク４と向かい合う可動ディスク７の端面には上記凹溝４ａ、４ｂ内に嵌入可能な略半球状の２つの突起部７ａ、７ｂが周方向に略１８０°の角度を隔てて形成されている。
【０００７】
上記構成のヒンジ装置を組み込んだ携帯電話機は、カバー側ディスク部に固定されたシャフト５が本体側デスク２に対し軸線回りに回動することにより、カバー体が機器本体に対し開閉動作可能とされている。
また、可動ディスク７の突起部７ａ、７ｂがコイルばね８の押圧力を受けてカバー側ディスク部４の一方の凹溝４ａ又は他方の凹溝４ｂに嵌入することにより、カバー体が機器本体に対し閉位置又は開位置に保持可能となっている。
【発明が解決しようとする課題】
上記したヒンジ装置において、カバー側ディスク４、シャフト５、可動ディスク７，コイルばね８、及びＥ−リング６は一般に金属材で形成され、一方、本体側デスク２は硬質の合成樹脂材で形成される。
さらに、本体側デスク２におけるＥ−リング６との接触面及びコイルばね８との接触面には良好な滑動性を確保するために、ナイロンワッシャ９、１０が取り付けられる。
【０００８】
したがって、上記した従来のヒンジ装置は計８つの構成部品からなり、部品コストが高くつくとともに、組み付け工数も多く組み付け作業に時間がかかる。特に、ヒンジ装置の部品組み付け工程の最後に、コイルばね８のばね力に抗してＥ−リング６をシャフト５にかしめて取り付ける作業が困難であった。
【０００９】
したがって、本発明は上記課題を解決し、部品点数が少なく構造が簡素で組み付けの容易な開閉保持用のヒンジ装置を提供することを目的とするものである。
【００１０】
【課題を解決するための手段】
上記課題を解決するために、本発明は、折畳式機器における一対の折畳み部材を開閉動作可能に連結するとともに、前記一対の折畳み部材を開状態及び閉状態に保持することができるヒンジ装置であって、一方の折畳み部材に一体的に取り付けられる第１のヒンジ部材と、他方の折畳み部材に一体的に取り付けられる第２のヒンジ部材と、ばね部材とからなり、前記第２のヒンジ部材は軸穴を有し、前記第１のヒンジ部材は前記他方の折畳み部材に取り付けられる取付部と前記第２のヒンジ部材の軸穴に回動可能に嵌合する軸部とを一体に有し、前記ばね部材は、前記軸部の外周面に開口するスリット溝から一部が外に突出するように前記スリット溝に収容されており、前記第２のヒンジ部材の軸穴の内周面には、前記ばね部材の一部を受容することができる断面略Ｖ字形の２つの凹溝が軸穴の周方向に所定間隔を隔てて形成されていることを特徴とするヒンジ装置を提供する。
【００１１】
上記構成を有するヒンジ装置は、スリット溝にばね部材を収容し、第２のヒンジ部材の軸穴に第１のヒンジ部材の軸部を嵌合した状態で、第１のヒンジ部材及び第２のヒンジ部材を一対の折畳み部材のヒンジ取付部に取り付けることにより、一対の折畳み部材を互いに開閉動作可能に連結することができる。
【００１２】
また、軸部を軸穴内で相対的に回動させるとき、軸部のスリット溝が軸穴の内周面に形成されている２つの凹溝のうちの一方又は他方と連通する位置に到達すると、スリット溝に収容されたばね部材の一部が、ばね部材自体のばね力によりスリット溝から突出して凹溝内に嵌入することにより、第１のヒンジ部材の軸部に対する第２のヒンジ部材の回動をばね部材の適度な力で規制することができる。
したがって、スリット溝が２つの凹溝の各々と連通する位置を一対の折畳み部材の閉状態及び開状態に対応させることにより、一対の折畳み部材を開状態又は閉状態に保持可能とすることができる。
【００１３】
そして、スリット溝内のばね部材の一部が突出して凹溝内に嵌入しているとき、軸部に対し第２のヒンジ部材に適度の回転力を加えると、ばね部材の該突出部分が、断面略Ｖ字形をなす凹溝の内面で押されてスリット溝内に押し戻されることにより、ばね部材による第２のヒンジ部材の回動規制を解除することができる。
【００１４】
したがって、一対の折畳み部材を開状態又は閉状態に保持できるとともに、適度な力で開状態及び閉状態から解除させることができる。
【００１５】
そして、上記構成のヒンジ装置は、僅か３つの部品で構成することができるので、部品コスト及び部品の組み付け工数を大きく削減することができる。
【００１６】
特に、軸部のスリット溝に収容されるばね部材は、凹溝に対し軸部及び軸穴の半径方向に係合するものであり、軸部と一体の第１のヒンジ部材又は第２のヒンジ部材に対し軸線方向へのばね付勢力を付与することはないから、第１のヒンジ部材と第２のヒンジ部材との間に軸線方向への抜け止め構造を必要としない。
したがって、抜け止め用Ｅ−リングやそのかしめ止めのための治工具等を必要とせず、簡単にヒンジ装置を組み立てることができるようになる。
【００１７】
好ましくは、上記構成のヒンジ装置において、前記ばね部材はばね鋼線からなり、前記スリット溝の底部に当接され、且つ、該底部に沿って延びる基部と、該基部の一端から前記スリット溝の外に向かって略Ｃ字状若しくは略Ｕ字状にカーブして延びるアーム部とを有し、該アーム部の先端近傍がスリット溝の外に突出可能な構成とされる。
【００１８】
上記構成のヒンジ装置においては、ばね部材の基部をスリット溝の底部に当接させることにより、ばね部材をスリット溝内に安定に収容することができる。
また、ばね部材のアーム部の先端近傍がスリット溝の外に突出可能であるので、スリット溝が凹溝と連通する位置にあるとき、ばね部材自体のばね力によってアーム部の先端近傍をスリット溝から突出させ凹溝に嵌入させることができる。
【００１９】
このような構成を有するばね部材はばね鋼線の曲げ加工により容易に作ることができるので、ヒンジ装置の低コスト化を図ることができる。
【００２０】
また好ましくは、上記構成のヒンジ装置において、前記凹溝が前記軸穴の軸線方向に延びて前記軸穴とともに前記第２のヒンジ部材の一端に開口した構成とされる。
【００２１】
上記構成のヒンジ装置においては、凹溝が軸穴の軸線方向に延びて第２のヒンジ部材の一端に開口しているので、凹溝の加工が容易であり、安価に精度良く作ることができるようになる。
また、第１のヒンジ部材の軸部を第２のヒンジ部材の軸穴内に嵌め込むときに、軸部のスリット溝に収容したばね部材の突出部分をスリット溝内に押し込む力を必要とせず、凹溝に嵌入させた状態で軸部を軸穴内に嵌め込むことができるので、組み立て作業を容易に行うことができるようになる。
【００２２】
また好ましくは、上記構成のヒンジ装置において、前記第１のヒンジ部材における前記取付部は前記軸部よりも大きな径方向サイズを有し、前記スリット溝は前記軸部の外周面から前記取付部にかけて軸線方向に連続形成される。
【００２３】
上記構成のヒンジ装置においては、第１のヒンジ部材における取付部が軸部よりも大きな径方向サイズを有するので、折畳み部材に対し容易に大きな強度で取り付けることができる。
また、スリット溝は軸部の外周面から取付部にかけて軸線方向に連続して形成されているので、スリット溝に収容できるばね部材のサイズをより大きくすることができる。
したがって、軸部の軸線方向に大きなサイズを有し、且つ、軸部の径方向に弾性変形しやすいばね部材をスリット溝に収容することができることとなり、ばね力設定の容易なヒンジ装置を提供できるようになる。
【００２４】
【発明の実施の形態】
以下、図面を参照して本発明の好ましい実施形態を説明する。
【００２５】
図１から図６までは本発明に係る開閉保持用ヒンジ装置を折畳式携帯電話機に適用した場合の一実施形態を示したものである。
図１は折畳式携帯電話機の斜視図であり、図２はヒンジ装置の分解斜視図である。
図３は図２のヒンジ装置を組み立てた状態の縦断面図であり、図４は図２のヒンジ装置を組み立てた状態の右側面図である。
【００２６】
図５は図３中５−５線に沿った断面図であり、図６はヒンジ装置を組み込んだ折畳式携帯電話機が閉状態のときの図５と同様の拡大断面図である。
【００２７】
図１を参照すると、折畳式携帯電話機は一対の折畳み部材をなす機器本体２１及びカバー体２２を有しており、機器本体２１とカバー体２２とは後述する開閉保持用ヒンジ装置３１により、開閉動作可能に連結されている。
【００２８】
機器本体２１にはテンキー２３やファンクションキー２４、マイク２５等が配設されている。
一方、カバー体２２には表示用液晶ディスプレイ２６、スピーカー２７、アンテナ２８等が配設されている。
【００２９】
機器本体２１の基端には２つの筒状の本体側ヒンジ取付部２９が横方向に間隔をあけて同軸に設けられており、カバー体２２の基端には２つの筒状のカバー側ヒンジ取付部３０が本体側ヒンジ取付部２９の内側に隣接するように同軸に設けられている。
【００３０】
次に、図２から図６までを参照すると、上記折畳式携帯電話機に組み込まれる開閉保持用ヒンジ装置３１は、一方の折畳み部材、例えば、機器本体２１のヒンジ取付部２９に嵌め込まれて一体的に取り付けられる第１のヒンジ部材３２と、他方の折畳み部材、すなわち、ここではカバー体２２のヒンジ取付部３０に嵌め込まれて一体的に取り付けられる第２のヒンジ部材３３と、ばね部材３４とからなる。
【００３１】
図２に示すように、第２のヒンジ部材３３はヒンジ取付部３０に嵌め込み可能な外形を有する筒状体からなり、その軸心部には一端に開口する軸穴３５が形成されている。
【００３２】
一方、第１のヒンジ部材３２はヒンジ取付部２９に嵌め込み可能な外形を有する取付部３６と、該取付部３６の一端から軸線方向に突出して第２のヒンジ部材３３の軸穴３５に回動可能に嵌合する軸部３７とを一体に形成したものである。
【００３３】
軸部３７にはその軸線方向に沿って外周面に開口するスリット溝３８が形成されており、上記ばね部材３４は、スリット溝３８から一部が外に突出するようにスリット溝３８に収容されるようになっている。
【００３４】
なお、この実施形態においては、第１のヒンジ部材３２における取付部３６は軸部３７よりも大きな径方向サイズを有している。
また、スリット溝３８は軸部３７の外周面から取付部３６にかけて軸線方向に連続形成されている。
すなわち、スリット溝３８は軸部３７の先端近傍から取付部３６の後端近傍まで連続して延びている。
【００３５】
スリット溝３８は、ばね部材３４を無理なく出し入れでき、且つ、スリット溝３８の中でばね部材３４を軸部３７の径方向に無理なく弾性変形させることができるとともに、ばね部材３４がスリット溝３８内でがたつかない程度の溝幅と長さを有する。
【００３６】
第２のヒンジ部材３３の軸穴３５の内周面には、ばね部材３４の一部を受容することができる断面略Ｖ字形の２つの凹溝３９、４０が軸穴３５の周方向に所定間隔（ここでは略１８０°の角度間隔）を隔てて形成されている。
【００３７】
この実施形態においては、凹溝３９、４０が軸穴３５の軸線方向に延びて軸穴３５とともに第２のヒンジ部材３３の一端に開口している。
【００３８】
さらに、この実施形態においては、ばね部材３４はばね鋼線からなり、スリット溝３８の底部に当接され、且つ、該底部に沿って延びる基部３４ａと、該基部３４ａの一端からスリット溝３８の外に向かって略Ｃ字状若しくは略Ｕ字状にカーブして延びるアーム部３４ｂとを有しており、該アーム部３４ｂの先端近傍３４ｃがスリット溝３８の外に突出可能な形状となっている。
【００３９】
さらに詳しくは、この実施形態におけるばね部材３４のアーム部３４ｂは、その先端近傍３４ｃがスリット溝３８の外に突出するとき、アーム部３４ｂの先端３４ｄがスリット溝３８内に入り込んだ状態を保つように、アーム部３４ｂの先端近傍３４ｃから先端３４ｄにかけて基部３４ａの方向にカーブされている。
【００４０】
上記構成を有するヒンジ装置は、スリット溝３８にばね部材３４を収容し、第２のヒンジ部材３３の軸穴３５に第１のヒンジ部材３２の軸部３７を嵌合した状態で、第１のヒンジ部材３２及び第２のヒンジ部材３３を機器本体２１及びカバー体２２のヒンジ取付部２９、３０に一体的、すなわち、回動不可の状態で取り付けることにより、機器本体２１及びカバー体２２を互いに開閉動作可能に連結することができる。
【００４１】
また、軸部３７を軸穴３５内で相対的に回動させるとき、軸部３７のスリット溝３８が軸穴３５の内周面に形成されている２つの凹溝３９、４０のうちの一方又は他方と連通する位置に到達すると、スリット溝３８に収容されたばね部材３４の一部（アーム部３４ｂの先端近傍３４ｃ）が、ばね部材３４自体のばね力によりスリット溝３８から外方に突出して一方の凹溝３９又は他方の凹溝４０内に嵌入することにより、第１のヒンジ部材３２の軸部３７に対する第２のヒンジ部材３３の回動をばね部材３４の適度な力により規制することができる。
【００４２】
したがって、スリット溝３８が２つの凹溝３９、４０の各々と連通する位置を機器本体２１及びカバー体２２の閉状態及び開状態に対応させることにより、機器本体２１及びカバー体２２を開状態又は閉状態に保持させることができる。
【００４３】
好ましくは、図６に示すように、機器本体２１に対しカバー体２２が開いた状態から閉じた位置Ａ１に到達したとき、ばね部材３４の先端近傍３４ｃが一方の凹溝３９の中心よりも手前の傾斜面３９ａに当接するように第１及び第２のヒンジ部材３２、３３の取り付け位置が設定される。
これにより、ばね部材３４が一方の凹溝３９の手前側（図６中右側）の傾斜面３９ａを押圧する力により、カバー体２２をさらに閉じようとする付勢力が働くので、この適度な力によりカバー体２２をがたつきなく閉状態に保つことができる。
【００４４】
同様に、機器本体２１に対しカバー体２２が閉じた位置Ａ１から最も開いた角度θをなす位置Ａ２に到達したとき、ばね部材３４の先端近傍３４ｃが他方の凹溝４０の中心よりも手前側（図６中右側）の傾斜面４０ａに当接するように、凹溝３９、４０の位置が設定される。
これにより、ばね部材３４が他方の凹溝４０の手前傾斜面４０ａを押圧する力により、カバー体２２をさらに開こうとする付勢力が働くので、この適度な力によりカバー体２２をがたつきなく開状態（位置Ａ２）に保つことができる。
【００４５】
一方、スリット溝３８内のばね部材３４の突出部分、すなわち、先端近傍３４ｃが一方の凹溝３９又は他方の凹溝４０内に嵌入しているとき、軸部３７に対し、第２のヒンジ部材３３に適度の回転力を加えると、ばね部材３４の先端近傍３４ｃが、断面略Ｖ字形をなす凹溝３９、４０の傾斜面で押されてスリット溝３８内に押し戻されることにより、ばね部材３４による第２のヒンジ部材３３の回動規制が解除されるので、第２のヒンジ部材３３を回動させることができるようになる。
【００４６】
上記構成のヒンジ装置において、第１のヒンジ部材３２及び第２のヒンジ部材３３は各種材料で作ることができるが、第１のヒンジ部材３２を硬質の合成樹脂材で、また、第２のヒンジ部材３３を金属で作ることが好ましい。
【００４７】
上記構成のヒンジ装置は、図２に示すように、僅か３つの部品で構成することができるので、部品コスト及び部品の組み付け工数を大きく削減することができる。
【００４８】
特に、軸部３７のスリット溝３８に収容されるばね部材３４は、凹溝３９、４０に対し軸部３７及び軸穴３５の半径方向に係合するものであり、軸部３７と一体の第１のヒンジ部材３２又は第２のヒンジ部材３３に対し軸線方向へのばね付勢力を付与することはないから、第１のヒンジ部材３２と第２のヒンジ部材３３との間に軸線方向への抜け止め構造を設ける必要がない。
【００４９】
したがって、抜け止め用Ｅ−リングやそのかしめ止めのための治工具等を必要とせず、簡単にヒンジ装置３１を組み立てることができるようになる。
【００５０】
また、上記構成のヒンジ装置３１においては、ばね部材３４の基部３４ａがスリット溝３８の底部に沿って延びる形状を有するので、ばね部材３４の基部３４ａをスリット溝３８の底部に当接させることにより、ばね部材３４をスリット溝３８内に安定に収容することができる。
【００５１】
また、ばね部材３４のアーム部３４ｂの先端近傍３４ｃがスリット溝３８の外に突出可能であるので、スリット溝３８が凹溝３９、４０と連通する位置にあるとき、ばね部材３４自体のばね力によってアーム部３４ｂの先端近傍３４ｃをスリット溝３８から突出させ凹溝３９、４０に嵌入させることができる。
【００５２】
このような構成を有するばね部材３４はばね鋼線の曲げ加工により容易に作ることができるので、ヒンジ装置３１の低コスト化を図ることができる。
【００５３】
さらに、上記構成のヒンジ装置３１においては、凹溝３９、４０が軸穴３５の軸線方向に延びて軸穴３５とともに第１のヒンジ部材３２の一端に開口しているので、凹溝３９、４０の加工が容易であり、安価に精度良く作ることができるようになる。
【００５４】
また、第１のヒンジ部材３２の軸部３７を第２のヒンジ部材３３の軸穴３５内に嵌め込むときに、軸部３７のスリット溝３８に収容したばね部材３４の突出部分、すなわち、先端近傍３４ｃをスリット溝３８内に押し込む力を必要とせず、凹溝３９、４０に嵌入させた状態で軸部３７を軸穴３５内に嵌め込むことができるので、ヒンジ装置の組み立て作業を容易に行うことができるようになる。
【００５５】
さらに、上記構成のヒンジ装置３１においては、第１のヒンジ部材３２における取付部３６が軸部３７よりも大きな径方向サイズを有するので、機器本体２１に対し容易に大きな強度で取り付けることができる。
【００５６】
また、スリット溝３８は軸部３７の外周面から取付部３６にかけて軸線方向に連続して形成されているので、スリット溝３８に収容できるばね部材３４のサイズをより大きくすることができる。
【００５７】
したがって、軸部３７の軸線方向に大きなサイズを有し、且つ、軸部３７の径方向に弾性変形しやすいばね部材３４をスリット溝３８に収容することができることとなり、ばね力設定の容易なヒンジ装置を提供できるようになる。
【００５８】
図７は本発明に係るヒンジ装置の他の実施形態を示したものである。
同図において上記実施形態と同様の構成要素には同一の参照符号が付してある。
【００５９】
同図に示すヒンジ装置は、第１のヒンジ部材３２の軸部３７に２つのスリット溝３８、３８を形成し、両スリット溝３８、３８にそれぞればね部材３４、３４を収容したものである。
両スリット溝３８、３８は、軸部３７の略直径方向に対向してその外周面に開口する開口部を有している。
そして、両スリット溝３８、３８に収容されたばね部材３４、３４は、第２のヒンジ部材３３の軸穴３５の内周面に形成されている２つの凹溝３９、４０に対し、同時に嵌入するように構成されている。
【００６０】
上記構成のヒンジ装置においては、第２のヒンジ部材３３と軸部３７との間に２つのばね部材３４、３４による付勢力をバランス良く作用させることができるので、軸部３７に対する第２のヒンジ部材３３の回動、回動規制及びその解除をバランス良く行わせることができるようになる。
【００６１】
以上図示実施形態につき説明したが、本発明は上記実施形態の態様のみに限定されるものではなく、特許請求の範囲に記載した範囲内でその構成要素に種々の変更を加えることができる。
【００６２】
例えば、ばね部材３４は上記実施形態の形状に限定されず、例えば、スリット溝の底面に沿って延びる基部の両端からアーム部が延びて両アーム部の先端近傍がスリット溝から外部に突出する形状であってもよい。
【００６３】
また、本発明によるヒンジ装置は折畳式携帯電話に限らず、小型の折畳式モバイルコンピュータ等、他の折畳式機器にも同様に適用することができる。
【００６４】
【発明の効果】
以上の説明から明らかなように、本発明によれば、部品点数が少なく構造が簡素で組み付けの容易な開閉保持用のヒンジ装置を提供することができる。
【図面の簡単な説明】
【図１】本発明に係る開閉保持用ヒンジ装置を折畳式携帯電話機に適用した場合の一実施形態を示す折畳式携帯電話機の斜視図である。
【図２】本発明の一実施形態に係るヒンジ装置の分解斜視図である。
【図３】図２のヒンジ装置を組み立てた状態の縦断面図である。
【図４】図２のヒンジ装置を組み立てた状態の右側面図である。
【図５】ヒンジ装置の図３中５−５線に沿った断面図である。
【図６】ヒンジ装置を組み込んだ折畳式携帯電話機が閉状態のときの図５同様の拡大断面図である。
【図７】本発明の他の実施形態を示すヒンジ装置の図５と類似の断面図である。
【図８】（ａ）、（ｂ）、（ｃ）はそれぞれ従来の折畳式機器の開閉保持用ヒンジ装置を示す左側面図、正面図、右側面図である。
【図９】図８に示すヒンジ装置の図８（ａ）中９−９線に沿った断面図である。
【図１０】図８に示すヒンジ装置の図８（ａ）中１０−１０線に沿った要部断面図である。
【符号の説明】
２１　　機器本体（一方の折畳み部材）
２２　　カバー体（他方の折畳み部材）
２９　　本体側ヒンジ取付部
３０　　カバー体側ヒンジ取付部
３１　　ヒンジ装置
３２　　第１のヒンジ部材
３３　　第２のヒンジ部材
３４　　ばね部材
３５　　軸穴
３６　　取付部
３７　　軸部
３８　　スリット溝
３９、４０　　凹溝
【図１】
2004052887.tif 000003
【図２】
2004052887.tif 000004
【図３】
2004052887.tif 000005
【図４】
2004052887.tif 000006
【図５】
2004052887.tif 000007
【図６】
2004052887.tif 000008
【図７】
2004052887.tif 000009
【図８】
2004052887.tif 000010
【図９】
2004052887.tif 000011
【図１０】
2004052887.tif 000012